(57)【特許請求の範囲】
【請求項１】
複数極用開閉器の上部に取付けてそのハンドルを操作する開閉器の電動操作装置において、ハンドル操作片が移動可能に取り付けられたねじ軸をハンドルより上方位置に配置し、このねじ軸と同芯上にねじ軸回転用のモータを配置し、該開閉器の極間に位置する突出ケース部を、該電動操作装置のケースの端部に形成し、該モータをその内部に収納したことを特徴とする開閉器の電動操作装置。
【発明の詳細な説明】
【０００１】
【発明の属する技術分野】
本発明は、開閉器のハンドルを電動操作する開閉器の電動操作装置の改良に関するものであり、特に開閉器の上部に取付けてそのハンドルを操作する開閉器の電動操作装置に関するものである。なお本明細書において開閉器とは、遮断機能を備えた開閉器、すなわちブレーカーをも含むものである。
【０００２】
【従来の技術】
開閉器のハンドルを遠隔地からあるいは制御盤から操作するために、従来から電動操作装置が用いられている。この電動操作装置には開閉器の側方に設置するタイプと開閉器の上部に設置するタイプとがあるが、側方設置型のものは盤内に広い設置スペースを必要とするため、スペースを節約したい場合には上方設置型のものが選択される。
【０００３】
図７〜図９は従来の上方設置型の電動操作装置を示すもので、開閉器１の上部に取り付けられるフレーム２内にねじ軸３を設け、このねじ軸３上にハンドル操作片４が螺合されている。ねじ軸３の一端にはギヤ５ａが固定されており、その側方に設けられたギヤ５ｂ付のモータ６と接続されている。またねじ軸３の反対側には、回路基板７が配置されている。
【０００４】
図８に示される遠隔操作用端子８から操作信号が入力されると、モータ６が回転し、ギヤ５ｂ、ギヤ５ａを介してねじ軸３が回転される。その結果、ハンドル操作片４がねじ軸３上を移動し、開閉器１のハンドル９を開又は閉の方向に動かすことができる。
【０００５】
ところがこのような従来の電動操作装置は、２枚のギヤ５ａ，５ｂが必要であって構造が複雑となるうえ、横幅が広くなるという問題があった。特に開閉器１が図示したような大型の場合にはともかく、単極開閉器を連結して２極用としたような場合には開閉器１自体の横幅が狭いため、電動操作装置が開閉器１から側方に突出してしまうという問題があった。
【０００６】
【発明が解決しようとする課題】
本発明は上記した従来の問題点を解決し、構造が簡単で横幅を狭くすることができ、しかも従来と同様に開閉器のハンドルを確実に操作することができる開閉器の電動操作装置を提供するためになされたものである。
【０００７】
【課題を解決するための手段】
上記の課題を解決するためになされた本発明は、複数極用開閉器の上部に取付けてそのハンドルを操作する開閉器の電動操作装置において、ハンドル操作片が移動可能に取り付けられたねじ軸をハンドルより上方位置に配置し、このねじ軸と同芯上にねじ軸回転用のモータを配置し、該開閉器の極間に位置する突出ケース部を、該電動操作装置のケースの端部に形成し、該モータをその内部に収納したことを特徴とするものである。
【０００８】
本発明の開閉器の電動操作装置は、従来品のようなギヤが不要であるため構造が簡単となり、また横幅を狭くすることができるので開閉器が２極用である場合にも電動操作装置が開閉器上から側方に突出してしまうこともない。
【０００９】
【発明の実施の形態】
以下に本発明の好ましい実施形態を示す。
図１〜図３は本発明の電動操作装置の実施形態を示す正面図、平面図、垂直断面図であり、図４〜図６は本発明の電動操作装置を開閉器に取り付けた状態を示す図である。
【００１０】
１０は電動操作装置のケースであり、ケース１０の下部に突設する２枚の位置決め係合片３５が開閉器１のパネルカット面の段部３６に係合するようにして、図面上左右方向の位置決めをし、その両端部のスペーサ１１を利用して図４、図６のように開閉器１の上部に取り付けられるようになっている。ケース１０の内部にはねじ軸１２が設けられている。ねじ軸１２は開閉器１のハンドル９の上端よりも高い位置にある。
【００１１】
このねじ軸１２上にはめねじを備えたスライダ１３が螺合されており、ねじ軸１２が回転すると図面上で左右方向に移動するようになっている。なおスライダ１３はねじ軸１２と平行に延びるガイドバー１４にガイドされ、回転することなく移動できる構造となっている。スライダ１３の右側には内部にねじ軸１２を収納できる円筒１５が固定されており、右側の軸受１６によりスライド自在に支持されている。これによりスライダ１３の移動を安定させることができる。
【００１２】
スライダ１３の下面にはハンドル操作片１７が突設されている。図４に示すように、このハンドル操作片１７は開閉器１のハンドル９を操作方向の両側から挟み、スライダ１３とともにハンドル操作片１７を移動させることによって、ハンドル９を開閉操作することができる。
【００１３】
本発明においては、ねじ軸１２と同芯上にねじ軸回転用のモータ１８が配置されている。図２に示したようにこのモータ１８は左側の軸受１９の外側に設けられており、内蔵する減速機を介してねじ軸１２を正逆両方向に回転させることができる。モータ１８はケース１０の端部に形成された突出ケース部２０に収納されている。
【００１４】
この電動操作装置は図４以下に示すように開閉器１の上部に取り付けて使用されるものであるが、ねじ軸１２と同芯上にねじ軸回転用のモータ１８を配置したため、モータ１８が開閉器１の端子上まで延びることがある。しかし図５に示すようにモータ１８が開閉器１の異極端子間に配置されるようにしておけば、これらの端子ねじを増し締めしたりする場合にもモータ１８が邪魔にならないようにすることができる。なお、図５に示した開閉器は単極開閉器を３個連結して３極開閉器とした切替開閉器であり、例えば共通端子３０に負荷を接続し、第１の端子３１に商用電源を接続し、第２の端子３２に非常用電源を接続する。通常はハンドル９を第１の端子３１側に倒して商用電源から負荷に電源を供給し、非常時には第２の端子３２側にハンドル９を回動して非常用電源から負荷に電源を供給し、点検等のときハンドル９を中立位置に回動して前記両電源から負荷を切り離すようになっており、ハンドル９の位置によって閉となっている端子３１，３２が目視できるものである。
【００１５】
ケース１０の上面には、電源端子２１及び遠隔操作用入力端子２２が設けられている。この遠隔操作用入力端子２２を介して操作信号を入力することにより、遠隔地や制御盤から電動操作装置を操作し、開閉器１のハンドル９を動かすことができる。またケース１０の上面には操作モード切り替えスイッチ２３が設けられており、遠隔操作モード、手元操作モード、全操作禁止モード等の切り替えができるようになっている。
【００１６】
なお手元操作モードとしたときには、３つのボタン２４，２５，２６を押すことによってハンドル９を第１、中立、第２の３ポジションの何れかに動かすことができる。通常の開閉器ではハンドルを中立位置に保つことはないが、この実施形態に示したように開閉器が中立位置を取り得る回路切り替えスイッチである場合には、中立用のボタン２５を設けておくことが好ましい。
【００１７】
このほか、ケース１０の中央には表示窓２７が形成されている。この表示窓２７はスライダ１３の上面に固定された表示板２８の一部が覗けるようになっている。表示板２８は例えば赤、緑、黄色に色分けされており、スライダ１３に位置によって表示窓２７から見える色が変わるようになっている。これによってハンドル９の位置を確認することができる。
【００１８】
上記したように、本発明の電動操作装置はモータ１８をねじ軸１２と同芯上に設けたので、モータを側方に設置した従来の装置よりも横幅を狭くすることができる。このため２極の開閉器に取り付けた場合にも、ケース１０が側方に突出することはない。なお、この実施形態のように３極の開閉器１に電動操作装置を取り付けた場合には、ケース１０の横から開閉器１のハンドル９の一部が直接見えるため、表示窓２７の表示によらなくてもハンドル９の位置を確認することができる。
【００１９】
【発明の効果】
以上に説明したように、本発明の電動操作装置はモータをねじ軸と同芯上に設けたことにより、従来よりも構造を簡単にすることができ、また横幅を狭くすることができる。しかも従来と同様に開閉器のハンドルを確実に遠隔操作することができるものである。また、請求項２のようにモータを開閉器の異極端子間に位置する突出ケース部に配置すれば、端子ねじの操作の邪魔になることがない。
【図面の簡単な説明】
【図１】本発明の実施形態を示す正面図である。
【図２】本発明の実施形態を示す平面図である。
【図３】本発明の実施形態を示す垂直断面図である。
【図４】使用状態を示す正面図である。
【図５】使用状態を示す平面図である。
【図６】使用状態を示す垂直断面図である。
【図７】従来例を示す正面図である。
【図８】従来例を示す平面図である。
【図９】従来例を示す水平断面図である。
【符号の説明】
１  開閉器
２  フレーム
３  ねじ軸
４  ハンドル操作片
５  ギヤ
６  モータ
７  回路基板
８  遠隔操作用端子
９  ハンドル
１０  電動操作装置のケース
１１  スペーサ
１２  ねじ軸
１３  スライダ
１４  ガイドバー
１５  円筒
１６  軸受
１７  ハンドル操作片
１８  ねじ軸回転用のモータ
１９  軸受
２０  突出ケース部
２１  電源端子
２２  遠隔操作用入力端子
２３  操作モード切り替えスイッチ
２４  ボタン
２５  ボタン
２６  ボタン
２７  表示窓
２８  表示板
３０  共通端子
３１  第１の端子
３２  第２の端子
３５  位置決め係合片
３６  段部
【図１】
0004454106.tif 000002
【図２】
0004454106.tif 000003
【図３】
0004454106.tif 000004
【図４】
0004454106.tif 000005
【図５】
0004454106.tif 000006
【図６】
0004454106.tif 000007
【図７】
0004454106.tif 000008
【図８】
0004454106.tif 000009
【図９】
0004454106.tif 000010